(57)【要約】      （修正有）【課題】イオン電流信号を参照したノック判定の精度の一層の向上を図る。【解決手段】車両に搭載された内燃機関の気筒におけるノッキングを検知する目的で、燃料の燃焼の際に点火プラグ１２の電極を流れるイオン電流を検出するための回路において、点火コイル１４の一次側コイルが存在する一次側回路に、ノッキングに起因して発生する信号と同じ周波数帯の成分を減衰させまたは遮断するフィルタ１７を設けた。これにより、オルタネータの作動に起因してイオン電流信号ｈに混入する周期的なノイズを除去することができる。【選択図】図２
2014066173.tif 000002
【特許請求の範囲】
【請求項１】
車両に搭載された内燃機関の気筒におけるノッキングを検知する目的で、燃料の燃焼の際に点火プラグの電極を流れるイオン電流を検出するための回路において、
点火コイルの一次側コイルが存在する一次側回路に、ノッキングに起因して発生する信号と同じ周波数帯の成分を減衰させまたは遮断するフィルタを設けていることを特徴とするイオン電流検出用回路。
【発明の詳細な説明】
【技術分野】
【０００１】
本発明は、車両に搭載された内燃機関の気筒におけるノッキングを検知する目的で、燃料の燃焼の際に点火プラグの電極を流れるイオン電流を検出するための回路に関する。
【背景技術】
【０００２】
内燃機関の気筒での燃料の燃焼状態を推測する手法の一として、燃焼の際に点火プラグの電極を流れるイオン電流を参照することが知られている。イオン電流を基に気筒におけるノッキングを感知するためには、イオン電流検出用の回路を介して計測されるイオン電流信号を、ノッキングに起因して生じる信号の周波数成分のみを通過させるバンドバスフィルタに入力し、当該フィルタから出力される信号を判断材料とする（例えば、下記特許文献を参照）。
【先行技術文献】
【特許文献】
【０００３】
【特許文献１】特開平０９−２２８９４１号公報
【発明の概要】
【発明が解決しようとする課題】
【０００４】
一般に、自動車等では、内燃機関が出力する駆動力の一部を利用してオルタネータを回転させ、発電した電力をバッテリに充電するとともに、運転制御を司るＥＣＵ（Ｅｌｅｃｔｒｏｎｉｃ  Ｃｏｎｔｒｏｌ  Ｕｎｉｔ）や車体に実装されている照明灯、各種のモータ、オーディオ機器、カーナビゲーションシステム等といった種々の電気負荷（電装系）に供給している。
【０００５】
オルタネータが発電を行っている間は、イオン電流検出用の回路に周期信号が誘導され、これがノイズとしてイオン電流信号に混入する。このノイズは、ノッキングに起因して発生する信号と同じ周波数帯に成分を持つため、イオン電流信号検出用の回路を介して計測される電流信号にバンドパスフィルタ処理を施しても、十分に除去することはできない。信号にノイズが多く残存していると、気筒においてノッキングが起こっていないにもかかわらず、ノッキングがあったものと誤判定するおそれがある。
【０００６】
本発明は、上述の問題に初めて着目してなされたものであって、イオン電流信号を参照したノック判定の精度の一層の向上を図ることを所期の目的としている。
【課題を解決するための手段】
【０００７】
本発明では、車両に搭載された内燃機関の気筒におけるノッキングを検知する目的で、燃料の燃焼の際に点火プラグの電極を流れるイオン電流を検出するための回路において、点火コイルの一次側コイルが存在する一次側回路に、ノッキングに起因して発生する信号と同じ周波数帯の成分を減衰させまたは遮断するフィルタを設けていることを特徴とするイオン電流検出用回路を構成した。これにより、オルタネータの作動に起因して点火コイルに誘導され、イオン電流信号に混入する周期的なノイズを低減ないし除去できる。
【発明の効果】
【０００８】
本発明によれば、イオン電流信号を参照したノック判定の精度がより一層向上する。
【図面の簡単な説明】
【０００９】
【図１】本発明の一実施形態における内燃機関の概略構成を示す図。
【図２】本実施形態のイオン電流検出用回路を示す図。
【図３】内燃機関の気筒におけるイオン電流及び燃焼圧のそれぞれの推移を示す図。
【図４】内燃機関の気筒においてノッキングを引き起こしたときのイオン電流の推移を示す図。
【図５】同実施形態におけるノッキング判定装置の機能ブロック図。
【図６】イオン電流信号をフィルタ処理して得られる信号を例示する図。
【図７】イオン電流信号をフィルタ処理して得られる信号を例示する図。
【図８】同実施形態のイオン電流検出用回路の要素であるフィルタ回路の一例を示す図。
【発明を実施するための形態】
【００１０】
本発明の一実施形態を、図面を参照して説明する。図１に、本実施形態における車両用内燃機関の概要を示す。本実施形態における内燃機関は、火花点火式ガソリンエンジンであり、複数の気筒１（図１には、そのうち一つを図示している）を具備している。各気筒１の吸気ポート近傍には、燃料を噴射するインジェクタ１１を設けている。また、各気筒１の燃焼室の天井部に、点火プラグ１２を取り付けてある。
【００１１】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１２】
排気を排出するための排気通路４は、気筒１内で燃料を燃焼させた結果発生した排気を各気筒１の排気ポートから外部へと導く。この排気通路４上には、排気マニホルド４２及び排気浄化用の三元触媒４１を配置している。
【００１３】
図２に、各気筒１の火花点火装置の電気回路を示す。なお、この電気回路は、イオン電流を検出するための検出回路を兼ねている。点火プラグ１２は、点火コイル１４にて発生した誘導電圧の印加を受けて、中心電極と接地電極との間で火花放電を惹起するものである。点火コイル１４は、半導体スイッチング素子であるイグナイタ１３とともに、コイルケースに一体的に内蔵される。
【００１４】
一次側回路においては、車載のバッテリ１８、点火コイル１４の一次側コイル及びイグナイタ１３が直列に接続している。ＥＣＵ０からの点火信号ｉをイグナイタ１３が受けると、まずイグナイタ１３が点弧して点火コイル１４の一次側に電流が流れ、その直後の点火のタイミングでイグナイタ１３が消弧してこの電流が遮断される。すると、自己誘導作用が起こり、一次側に高電圧が発生する。そして、一次側と二次側とは磁気回路及び磁束を共有するので、二次側にさらに高い誘導電圧が発生する。
【００１５】
二次側回路においては、点火コイル１４の二次側コイル及び点火プラグ１２の中心電極が直接に接続している。点火コイル１４の二次側コイルに発生した高い誘導電圧は点火プラグ１２の中心電極に印加され、中心電極と接地電極との間で火花放電を惹起する。
【００１６】
バッテリ１８が蓄える電力は、オルタネータにより発電される。周知の通り、自動車では、内燃機関が出力する駆動力の一部を利用してオルタネータを回転させ、発電した電力をバッテリ１８に充電するとともに、各種の電気負荷に供給している。
【００１７】
オルタネータが発電し出力する電圧の大きさは、レギュレータ（図示せず）を介して制御される。レギュレータは、オルタネータに付帯するＩＣ式の既知のものである。オルタネータの発電電圧、即ちステータコイルに誘起される電圧は、フィールドコイルを流れるフィールド電流のＤＵＴＹ比、即ちｆＤＵＴＹに比例して大きくなる。レギュレータは、ＥＣＵ０からオルタネータの発電電圧を指令する信号ｌを受け付け、その指令された発電電圧を実現するようにｆＤＵＴＹを調節するＰＷＭ制御を行う。
【００１８】
本実施形態にあって、ＥＣＵ０は、図２に示しているイオン電流検出用回路を介して、燃料の爆発燃焼の際に気筒１の燃焼室内に発生するイオン電流を検出する。そして、これを参照して、各気筒１におけるノッキングの有無の判定を行う。
【００１９】
本実施形態のイオン電流検出用回路は、イオン電流を効果的に検出するためのバイアス電源部１５と、イオン電流の多寡に応じた検出電圧を増幅して出力する増幅部１６と、オルタネータの作動に起因して混入するノイズＰを低減せしめるためのフィルタ１７とを備える。
【００２０】
バイアス電源部１５は、二次側回路に直列に接続し、気筒１の燃焼室内で燃料が燃焼してイオンが発生するときに、点火プラグ１３の電極にバイアス電圧を印加する。バイアス電源部１５は、バイアス電圧を蓄えるキャパシタ１５１と、キャパシタ１５１の電圧を所定電圧まで高めるためのツェナーダイオード１５２と、電流阻止用のダイオード１５３、１５４と、イオン電流に応じた電圧を出力する負荷抵抗１５５とを含む。
【００２１】
増幅部１６は、二次側回路を流れるイオン電流信号ｈを必要十分な大きさまで増幅した上でＥＣＵ０に提供する。増幅部１６は、オペアンプに代表される電圧増幅器１６１を含む。
【００２２】
並びに、フィルタ１７は、一次側回路に直列に接続し、一次側回路を流れる所定周波数成分のノイズＰを減衰させまたは遮断する。所定周波数成分とは、ノッキングに起因して発生する振動Ｓが属する周波数帯の成分のことである。フィルタ１７、ノイズＰ及び振動Ｓについては、後述する。
【００２３】
点火プラグ１２の中心電極と接地電極との間のアーク放電時にはキャパシタ１５１が充電され、その後キャパシタ１５１に充電されたバイアス電圧により負荷抵抗１５５にイオン電流が流れる。イオン電流が流れることで生じる抵抗１５５の両端間の電圧は、増幅部１６により増幅されて、イオン電流信号ｈとしてＥＣＵ０に受信される。
【００２４】
図３に、正常燃焼における、イオン電流（図中実線で示す）及び気筒１内の燃焼圧力（筒内圧。図中破線で示す）のそれぞれの推移を例示している。イオン電流は、点火のための放電中は検出することができない。正常燃焼の場合のイオン電流は、火花点火の終了後、化学反応により、圧縮上死点の手前で減少した後、熱解離によって再び増加する。また、燃焼圧がピークを迎えるのとほぼ同時にイオン電流も極大となる。
【００２５】
内燃機関の運転制御を司るＥＣＵ０は、プロセッサ、メモリ、入力インタフェース、出力インタフェース等を有したマイクロコンピュータシステムである。
【００２６】
入力インタフェースには、車両の実車速を検出する車速センサから出力される車速信号ａ、クランクシャフトの回転角度及びエンジン回転数を検出するエンジン回転センサから出力されるクランク角信号（Ｎ信号）ｂ、アクセルペダルの踏込量またはスロットルバルブ３２の開度をアクセル開度（いわば、要求負荷）として検出するセンサから出力されるアクセル開度信号ｃ、車載バッテリ１８の充電状態を示すバッテリ電圧、バッテリ電流及びバッテリ温度を検出するセンサから出力されるバッテリ信号ｄ、吸気通路３（特に、サージタンク３３）内の吸気温及び吸気圧を検出する温度・圧力センサから出力される吸気温・吸気圧信号ｅ、機関の冷却水温を検出する水温センサから出力される冷却水温信号ｆ、吸気カムシャフトまたは排気カムシャフトの複数のカム角にてカム角センサから出力されるカム角信号（Ｇ信号）ｇ、燃焼室内での混合気の燃焼に伴って生じるイオン電流を検出する回路から出力される電流信号ｈ等が入力される。
【００２７】
出力インタフェースからは、点火プラグ１２のイグナイタ１３に対して点火信号ｉ、インジェクタ１１に対して燃料噴射信号ｊ、スロットルバルブ３２に対して開度操作信号ｋ、レギュレータに対して発電電圧指令信号ｌ等を出力する。
【００２８】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈを入力インタフェースを介して取得し、エンジン回転数を知得するとともに気筒１に充填される吸気量を推算する。そして、それらエンジン回転数及び吸気量等に基づき、要求される燃料噴射量、燃料噴射時期（一度の燃焼に対する燃料噴射の回数を含む）、燃料噴射圧、点火時期といった各種運転パラメータを決定する。運転パラメータの決定手法自体は、既知のものを採用することが可能である。ＥＣＵ０は、運転パラメータに対応した各種制御信号ｉ、ｊ、ｋ、ｌを出力インタフェースを介して印加する。
【００２９】
以降、イオン電流信号ｈを参照したノック判定に関して詳述する。
【００３０】
図４に、気筒１での燃料の燃焼中にノッキングが起こった場合の、イオン電流の推移を例示する。ノッキングが引き起こされるとき、気筒１の燃焼室内では燃焼速度の速い、激しい燃焼が生じている。それ故、図３に示した正常燃焼の場合と比較して、イオン電流が早期にピークを迎える。さらに、イオン電流信号ｈの波形に、ノッキングに起因して発生する振動Ｓが重畳される。
【００３１】
因みに、図４に示しているイオン電流信号ｈの例では、ノッキングに起因した信号Ｓに加えて、スパイク状のノイズＮが重畳されている。後述するオルタネータの作動に起因したノイズＰとは異なり、このスパイクノイズＮは瞬間的なものである。スパイクノイズＮの発生期間は、ノッキングによる振動Ｓの発生期間と比較しても短い。スパイクノイズＮの原因は、電子スロットルバルブ３２等を駆動するモータの作動、半導体スイッチ素子のスイッチング動作、リレースイッチのＯＮ／ＯＦＦ切換等、様々である。
【００３２】
図５は、ノック判定を行うＥＣＵ０の機能ブロック図である。本実施形態では、各部５１、５２、５３、５４の機能を、ＥＣＵ０が解釈し実行するプログラム、つまりはソフトウェアとして実装している。尤も、各部５１、５２、５３、５４の機能の一部または全部を、アナログ回路や論理回路等のハードウェアとして実装することも可能である。
【００３３】
気筒１におけるノッキングの有無を判定するにあたり、ＥＣＵ０は、気筒１の点火プラグ１２の電極を流れるイオン電流信号ｈを、イオン電流検出用の回路を介してサンプリング５１する。サンプリングレートは、例えば５０ｋＨｚとする。量子化ビット数（電圧分解能）は、例えば１２ビットとする。即ち、増幅部１６にて増幅された検出電圧（最大振幅５Ｖ）を、２12段階で数値化する。
【００３４】
ＥＣＵ０は、サンプリング５１したイオン電流信号ｈを、ノッキングに起因して発生する信号Ｓが持つ周波数成分を通過させるバンドパスフィルタ５２に入力する。バンドパスフィルタ５２は、ノッキングに起因した信号Ｓ以外の成分を低減させるためのフィルタであって、例えば７ｋＨｚないし１１．５ｋＨｚの周波数成分を通過させる。なお、バンドパスフィルタ５２に入力してフィルタ処理した信号に、なまし処理（移動平均をとる、一次のローパスフィルタに入力する、等）を加えてもよいが、必須ではない。
【００３５】
ここで、オルタネータの作動に起因して混入するノイズＰ、及びイオン電流検出用回路におけるフィルタ１７の役割について述べる。図６は、本実施形態のイオン電流検出用回路を介して取得５１した電流信号ｈを、バンドパスフィルタ５２に入力して処理した結果得られる信号の例を示している。
【００３６】
翻って、図７は、一次側回路にフィルタ１７を設けていない検出用回路を介して取得５１した電流信号ｈを、フィルタ５２に入力して処理した結果得られる信号の例である。図６と異なり、この信号には、ノッキングに起因して発生する信号Ｓの成分の他に、周期信号の如きノイズＰが重畳されている。
【００３７】
オルタネータが発電する交流の電流を直流に変換してバッテリ１８及び電気負荷に供給する都合上、その直流電流にはリップルが含まれている。このリップルは、イオン電流検出用の回路が接続している点火コイル１４の周辺の磁界を変動させ、点火コイル１４に周期的なノイズＰを誘導する。一次側コイルに誘導されたノイズＰは、二次側コイルにおいて増幅されて二次側回路を流れるため、（フィルタ５２処理後の）イオン電流信号ｈの信号対雑音比を顕著に悪化させる。
【００３８】
オルタネータの作動に起因したノイズＰの波形、振幅及び周波数は、エンジン回転数（即ち、オルタネータの回転数）及びｆＤＵＴＹ（即ち、オルタネータの発電電圧）に応じて変化する。ノイズＰは、ノッキングに起因して発生する信号Ｓと同じ周波数帯に成分を持つこととなるから、電流信号ｈをバンドパスフィルタ５２処理しても十分には除去できない。ノイズＰの強度は、エンジン回転数が高いほど大きくなり、またｆＤＵＴＹが高いほど大きくなる。ｆＤＵＴＹが５０％を超えると、オルタネータから電装系の回路に流れる電流が巨大となり、ノイズＰも甚大となる。
【００３９】
このようなノイズＰの成分を予め除去し、ＥＣＵ０が受信するイオン電流信号ｈに混入させないようにするため、本実施形態のイオン電流検出用回路では、一次側回路にバンドストップフィルタ１７を設けている。バンドストップフィルタ１７は、一次側回路を流れる電流に含まれる、振動Ｓと同じ周波数帯に属する周波数成分を減衰させまたは遮断する性能を有するものとする。即ち、バンドパスフィルタ５２とは真逆の性質である。フィルタ１７は、例えば、少なくとも７ｋＨｚないし１１．５ｋＨｚの周波数成分を十分に減衰させるフィルタ、特にノッチフィルタとする。
【００４０】
図８に、イオン電流検出用回路の一次側回路に接続するフィルタ回路１７の一例を示している。このフィルタ１７は、いわゆるツインＴ型のノッチフィルタであり、完全に遮断される（出力が０となる）ノッチ周波数ｆn＝（２πＣＲ）-1である。このノッチ周波数ｆnが７ｋＨｚないし１１．５ｋＨｚの範囲内の値となるよう、回路素子のパラメータを決定すればよい。
【００４１】
フィルタ１７の存在により、オルタネータの作動に起因して点火コイル１４（の一次側コイル）に誘導されるノイズＰのうち、ノッキングに起因した振動Ｓと同じ周波数帯に属する成分が低減される。従って、イオン電流検出用回路を介してＥＣＵ０が受信するイオン電流信号ｈに当該ノイズＰの成分が含まれなくなり、図６に示しているような、周期的なノイズＰが重畳されていない、ノッキングに起因した振動Ｓのみを抽出した信号を得ることが可能となる。
【００４２】
しかして、ＥＣＵ０は、バンドパスフィルタ５２で処理した後の信号を時間積分５３する。換言すれば、サンプリング値の時系列を積算する。時間積分５３によって得た積算値は、イオン電流信号ｈに重畳する、ノッキングに起因して発生する振動Ｓが属する周波数帯の成分の量を示す値となる。
【００４３】
その後、ＥＣＵ０は、上記の積算値をノック判定値と比較５４する。前者が後者を下回ったならば、当該気筒１にてノッキングは起こらなかったものと判定する。逆に、積算値がノック判定値以上であるならば、当該気筒１にてノッキングが起こったものと判定する。
【００４４】
ＥＣＵ０は、内燃機関の気筒１においてノッキングが起こらなくなるまで点火時期を遅角させる一方、ノッキングが起こらない限りは点火時期を進角させて出力及び燃費の向上を図る。このノック判定及び点火時期の遅角／進角補正は、各気筒１毎に個別に行うことができる。
【００４５】
本実施形態では、車両に搭載された内燃機関の気筒１におけるノッキングを検知する目的で、燃料の燃焼の際に点火プラグ１２の電極を流れるイオン電流を検出するための回路において、点火コイル１４の一次側コイルが存在する一次側回路に、ノッキングに起因して発生する信号Ｓと同じ周波数帯の成分を減衰させまたは遮断するフィルタ１７を設けていることを特徴とするイオン電流検出用回路を構成した。
【００４６】
本実施形態によれば、オルタネータの作動に起因してイオン電流信号ｈに混入する周期的なノイズＰを低減ないし除去でき、気筒１においてノッキングが起こっていないにもかかわらずノッキングが起こったと誤判定するおそれが低下する。混合気への点火時期を不必要に遅角化せずに済むことから、機関の出力の上昇及び燃費の向上に資する。
【００４７】
また、本実施形態のノック判定の手法は、小さな容積のエンジンルームを持つスモールカーに好適であると言える。内燃機関の気筒１（及び、イオン電流検出用回路）からオルタネータを遠く引き離せば、イオン電流信号ｈに混入するノイズＰも弱まるが、気筒１とオルタネータとの距離を大きくとればこれらが占有するスペースが巨大となる。本実施形態によれば、気筒１からオルタネータを遠く引き離すことなく、ノック判定の精度、信頼性を向上させることが可能である。
【００４８】
なお、本発明は以上に詳述した実施形態に限られるものではない。例えば、フィルタ回路１７は、ノッチフィルタには限定されない。
【００４９】
その他、各部の具体的構成や処理の手順等は、本発明の趣旨を逸脱しない範囲で種々変形が可能である。
【産業上の利用可能性】
【００５０】
本発明は、車両等に搭載される内燃機関の制御に適用することができる。
【符号の説明】
【００５１】
１…気筒
１２…点火プラグ
１４…点火コイル
１７…フィルタ
ｈ…電流信号
Ｓ…ノッキングに起因して発生する信号
【図１】
2014066173.tif 000003
【図２】
2014066173.tif 000004
【図３】
2014066173.tif 000005
【図４】
2014066173.tif 000006
【図５】
2014066173.tif 000007
【図６】
2014066173.tif 000008
【図７】
2014066173.tif 000009
【図８】
2014066173.tif 000010